(57)【特許請求の範囲】
【請求項１】
刃先プレートに形成された二股状部がリムーバ本体の一端に備えられた傾斜部の先端を挾持するように装着されたことを特徴とするリムーバ。
【請求項２】
リムーバ本体は、その全長に渡って除去済のステープルを収容する空洞部を備えており、かつその後部側の空洞部内には、展開可能に枢支された蓋体の磁性材を収納する隔壁空間部が形成されたことを特徴とする請求項１記載のリムーバ。
【請求項３】
リムーバ本体の空洞部を上・下空洞部に仕切り、上側空洞部にはスライダと該スライダに作用する戻しスプリングと蓋体を展開可能にする枢支部とが備えられ、下側空洞部には除去済のステープルが収容されることを特徴とする請求項１または２記載のリムーバ。
【発明の詳細な説明】
【０００１】
【発明の属する技術分野】
本発明は、紙の綴じ込みや紙袋の開口の閉じ込みのために打込まれたステープルを取り外すことができるリムーバに関するものである。
【０００２】
【従来の技術】
従来より、ステ−プルの打ち込みにより、綴用紙の一括綴じ込みや封書類の開口の閉じ込み等がなされるが、誤ったステープルの打ち込みや綴用紙の組み替え等の事態を招くことがあり、このような場合には、一旦、打ち込んだステープルを取り外した後に、ステープルの新たな打ち込みが行われる。この打込まれたステープルの除去方法は、手先によりなされてきており、指先、用紙等の損傷やステープルの飛散等が生じ易く、注意力を必要とする困難な作業がつきまとうことから、除去作業性を考慮した簡易な構造のリムーバ（ステープルを取り外すための器具である）が、種々提案されてきた。
【０００３】
このような種々のリムーバについて、例示しながら説明する。
初めに、側面図である図５により、ステープルの除去作業性とその飛散防止を課題としたリムーバについて述べる。
図示のリムーバは、くさび状先端２１を有する支持部２が傾斜した形状の下側ケース１１と該下側ケース１１に固定される上側ケ−ス１２とからなるリムーバ本体１、および前記支持部２におけるくさび状先端２１の下面と面一になる面を有する屈曲状先端部３１と傾斜した後端部３２とが備えられた厚みの薄い金属製の刃先プレート３、ならびに下面に段状凹部４１を備えたステープル係止部片４とを構成部材としており、該刃先プレート３は、その後端部３２が下側ケ−ス１１の前方上面１１１に固着されている。
前記構造からなるリムーバの使用に際しては、ステープル係止部片４に指を宛てがってリムーバ本体１を把持し、打込まれたステープルの冠部と紙表面間に刃先プレート３を差し込みながら進行させるもので、この進行により、ステープルの冠部が、ステープル係止部片４の段状凹部４１と刃先プレート３上面により形成される空隙に嵌入しながら下側ケ−ス１１における支持部２の傾斜部によって紙から引き上げられ、前記段状凹部４１の終端によってステープルが押し抜かれることとなる。ここで採用されたステープル係止部片４は扁平なため、ステープルの冠部全体を押さえることができ、ステープルの両脚を引き抜くのに有効となる、
次に、側面図である図６により、ステープルの除去作業性とその飛散防止に加え、ステープルの廃棄機能を課題としたリムーバ（例えば、実開平１ー１５５１８５号公報を参照。）について述べる。
図示のリムーバは、空洞部１４を備えたリムーバ本体１と、くさび状先端２１を備えた支持部材２と、先端部３１を備えた厚みの薄い金属製の刃先プレート３と、下面に段状凹部４１を備えた板状のステープル係止部片４と、磁性体５１を備えた蓋体５等とが構成部材となっており、前記リムーバ本体１の一方の開口端１２には支持部材２や刃先プレート３やステープル係止部片４が積層状態に固設されるとともに、前記リムーバ本体１の他方の開口端１３には磁性体５１が嵌入するように蓋体５が装着されている。
前記構造のリムーバの使用に際しては、ステープル係止部片４に指を宛てがってリムーバ本体１を把持し、打込まれたステープルの冠部と紙表面間に刃先プレート３を差し込みながら進行させるもので、ステープルの冠部が、ステープル係止部片４の段状凹部４１と刃先プレート３上面により形成される空隙に嵌入しながら支持部材２におけるくさび状先端２１の傾斜部によって紙から持ち上げられ、ステープルが押し抜かれることとなる。ここで採用されたステープル係止部片４は扁平なため、ステープルの冠部全体を押さえることができ、ステープルの両脚を引き抜くのに有効となる。
この除去されたステープルは、その冠部を介して段状凹部４１に遊嵌されており、リムーバ本体１の一方の開口端１２からその空洞部１４内に案内され、リムーバ本体１における他方の開口端１３に嵌入してある蓋体５の磁性体５１に吸着されて集中する。リムーバ本体１の開口端１３に集中した前記ステープルは、リムーバ本体１から蓋体５を取り外すことにより廃棄されるものである。
【０００４】
さらに、縦断面図である図７に基づいて、ステープルの除去作業性とその飛散防止の課題に加えて、リムーバ本体へのステープルの取り込みをも課題としたリムーバ（例えば、実開平５ー８８８８１号公報を参照。）について述べる。
図示のリムーバは、先端部に支持部２を、中間部に除去ステープル収容空所１８を、後部に戻しスプリング１５を収容した後部溝１６を、夫々有するリムーバ本体１と、屈曲状先端部３１を備えたステープル除去用刃先プレート３と、先端が肉厚段部１０であり、かつ開閉蓋１３が枢着されたスライドレバ９とを備えているものであって、前記ステープル除去用刃先プレート３は支持部２の上面に止めビス７で固着され、該ステープル除去用刃先プレート３の上面にはスライドレバ９が戻しスプリング１５に抗して後退可能に付設されている。
前記構造からなるリムーバの使用に際しては、開閉蓋１３の刻み目１７に指を宛てがってリムーバ本体１を把持し、打込まれたステープルの冠部と紙表面間にステープル除去用刃先プレート３の屈曲状先端部３１を差し込みながら進行させて、ステープルの除去を行うもので、ここで採用されたスライドレバ９は扁平なため、ステープルの冠部全体を押さえることができ、ステープルの両脚を引き抜くのに有効となる。
この除去されたステープルは、その冠部を介してスライドレバ９の肉厚段部１０に嵌入しており、戻しスプリング１５に抗してスライドレバ９を後退させることにより、リムーバ本体１端の開口から除去ステープル収容空所１８内に引きずり込まれる。そして、リムーバ本体１の前記除去ステープル収容空所１８内に収容された除去済のステープルは、ケ−ス本体１の開閉蓋１３を開放することにより廃棄可能となるものである。
【０００５】
【発明が解決しようとする課題】
しかしながら、前記図５に例示したリムーバにおいては、その使用に際して、刃先プレート３の先端部３１に強い押圧力が加わるため、該刃先プレート３の先端部がそり返る（図５中の点線部イに示した状態図を参照のこと。）ことから、くさび状先端部２１の先端が突出状態となって、書類等に突き刺さり、書類等を損傷してしまう危険があった。また、先端部３１の下面とくさび状先端部２１の上面との間に、抜き取られるべきステープルの冠部が先端部３１によっても拾えなかった場合、ステープル冠部が入り、書類を損傷してしまう危険があった。
また、前記図６に例示したリムーバにおいても、前記と同様に、書類等を損傷してしまう危険があるほか、蓋体５の磁性体５１に吸引されて集中した除去済ステープルの廃棄時には、除去済ステープルを磁性体５１からいちいち取り払う煩わしい作業を必要としていた。
さらに、前記図７に例示したリムーバにおいても、前記と同様な書類等の損傷の危険があるほか、除去ステープル収容空所１８の容積が小さく、長期間に亘る連続使用には対応できなかった。
【０００６】
本発明は、このような従来の各種リムーバの有する問題点に鑑みてなされたものであって、刃先プレートの先端に強い押圧力が加わっても刃先プレート支持部の先端が容易に突出することがないようにして、書類等の損傷を防止するようにしたリムーバを提供し、また、書類等の損傷の防止を可能するとともに、除去済ステープルの廃棄時には、磁性体から取り払う煩わしさを排除し得る除去済ステープル収容部を備えたリムーバを提供する他、書類等の損傷の防止や除去済ステープルの容易な廃棄を図るとともに、ステープルの煩わしい廃棄回数を低減して長期間の使用に耐え得るリムーバを提供することを目的とするものである。
【０００７】
【課題を解決するための手段】
本発明は、かかる目的を達成するために、請求項１に記載したリムーバでは、刃先部から外れた他の部分を二股状に形成した刃先プレートが採用されたことを特徴とし、また、請求項２に記載したリムーバでは、刃先部から外れた他の部分を二股状に形成した刃先プレートが採用されたリムーバの本体には、その全長に渡って除去済のステープルを収容する空洞部が備えられ、かつその後部側の空洞部内には、展開可能に枢支された蓋体の磁性部材を収納する隔壁空間部が形成されたことを特徴とし、さらに、請求項３に記載したリムーバでは、刃先部から外れた他の部分を二股状に形成した刃先プレートが採用されたリムーバにおいて、リムーバ本体の空洞部を中仕切りにより上・下空洞部となし、上側空洞部にはスライダと該スライダに作用する戻しスプリングと蓋体を展開可能にする枢支部とが備えられ、下側空洞部には除去済のステープルが収容されることを特徴としている。
上記の請求項１ないし３のいずれか記載の本発明は、二股状に形成した刃先プレート脚部片が前方部における傾斜部の先端を挾持するように装着されるため、刃先プレートが押圧されてそり返った場合には刃先プレート脚部片も追従しながら書面等の表面に摺接し、前方部における傾斜部の先端が書面等の表面に摺接することを防止するものである。また、上記の請求項２記載の本発明は、リムーバ本体の後部側に隔壁で仕切って形成した空間部に蓋体の磁性部材が変位自在に収納可能となるため、隔壁を介して収集されている空洞部内の除去済ステープルが蓋体の開放によって磁性部材から離散し、除去済ステープルの一括廃棄がなされる。さらに、上記の請求項３記載の本発明は、リムーバ本体の空洞部を仕切ることにより上・下空洞部となし、上側空洞部に諸部材を位置させることから、下側空洞部全域をより多くの除去済ステープルの収容に利用可能にした。
【０００８】
【発明の実施の形態】
以下、本発明の実施例を、添付した図面に基づいて詳細に説明する。
【０００９】
図１は、リムーバの一実施例に係る側面図である。
図示のリムーバは、図５に示したリムーバの刃先プレート構造を改善したものであって、リムーバ本体１は、先端２１がくさび状であり、かつその下面に溝２２を備えている支持部２が傾斜して形成された下側ケ−ス１１と該下側ケ−ス１１上に固定される上側ケ−ス１２で構成されており、また、厚みの薄い金属製の刃先プレート（図中、一点鎖線部で示した拡大図を参照のこと）３は、前記支持部２におけるくさび状先端２１の下面と面一になる面を有する屈曲状先端部３１と前記下側ケ−ス１１の支持部２と同様に傾斜した後端部３２とが備えられるとともに、打ち抜かれた舌状片３３によって形成された二股状部３４を備えており、さらに、ステープル係止部片４は、下面に段状凹部４１を備えているもので、前記刃先プレート３は、舌状片３３が支持部２の先端２１下面の溝２２に挿入されるように、二股状部３４が支持部２の先端２１を挟み込んだ上で、その後端部３２が下側ケ−ス１１の前方上面１１１に固着されるもので、舌状片３３と支持部２の先端２１の両下面は面一状態になる。
前記構造からなるリムーバの使用に際しては、ステープル係止部片４に指を宛てがってリムーバ本体１を把持し、打込まれたステープルの冠部と紙表面間に刃先プレート３を差し込みながら進行させるもので、この進行により、ステープルの冠部が、ステープル係止部片４の段状凹部４１と刃先プレート３上面により形成される空隙に嵌入しながら下方ケ−ス１１における支持部２の傾斜部によって紙から引き上げられ、前記段状凹部４１の終端によってステープルが押し抜かれることとなる。ここで採用されたステープル係止部片４は扁平なため、ステープルの冠部全体を押さえることができ、ステープルの両脚を引き抜くのに有効となる。
【００１０】
図２は、リムーバの他の実施例に係る側面図である。
図示のリムーバは、図６に示したリムーバの刃先プレート構造等を改善したものであって、前後が開口１２、１３され、内部が空洞部１４となっている筒体であり、該空洞部１４の後方開口１３端上部が一部切り欠れて収納部１９が形成されたリムーバ本体１と、磁性材５１を保持した蓋体５と、くさび状先端２１を備えた支持部２と、前記支持部２におけるくさび状先端２１の下面と面一になる舌状片３３が形成された二股状部３４を備えた厚みの薄い金属製の刃先プレート３と、下面に段状凹部４１を備えたステープル係止部片４等からなり、前記リムーバ本体１の前方開口１２には、二股状部３４を介して一体にした刃先プレート３と支持部２、および前記刃先プレート３上面に位置するステープル係止部片４が付設され、他方、収納部１９近傍の上部には蓋体５が回動可能（矢印を参照）に枢支２０される。
前記構造のリムーバの使用に際しては、適宜の係止手段により蓋体５が閉鎖状態に維持されたリムーバ本体１を把持し、打込まれたステープルの冠部と紙表面間に刃先プレート３を差し込みながら進行させるもので、ステープルの冠部が、ステープル係止部片４の段状凹部４１と刃先プレート３上面により形成される空隙に嵌入しながら支持部２におけるくさび状先端２１の傾斜部によって紙から持ち上げられ、ステープルが押し抜かれ、これらの除去済のステープルはリムーバ本体１の前方開口１２から空洞部１４内に送り込まれて、磁性材５１の収納部１９近傍に集積されることとなる。ここで採用されたステープル係止部片４は扁平なため、ステープルの冠部全体を押さえることができ、ステープルの両脚を引き抜くのに有効となる。
この集積された除去済ステープルは、磁性材５１の収納部１９が硬質樹脂（例えば、ＡＢＳ樹脂）や硬質ゴム等の材料で形成された隔壁板で作製されているため、蓋体５の開放と同時に磁性材５１の吸引力から開放されて空洞部１４内で自由状態となるもので、一括廃棄が可能となる。
【００１１】
図３は、リムーバの更なる他の実施例に係る縦断面図であって、図７に示したリムーバの刃先プレート構造等を改善したものであり、断面図である図３に基づいて説明する。
図示のリムーバにおいて、リムーバ本体１は、くさび状先端２１Ａが形成された支持部２Ａおよび除去ステープル収容用空間部１８Ａを共に備えた下ケ−ス１１Ａと、前後が開口１２Ａ、１３Ａされ、内部が空洞部１４Ａである屈曲状の除去ステープル収容用ケ−ス１９Ａとが連結された構造を有しており、前記リムーバ本体１の上部には、該上部に固着される上ケース１２Ａと、該上ケース１２Ａの前部における凹所１７Ａに形成してある切り欠き孔の縁部１７Ｂ内の、戻しスプリング１５Ａを介して連接されるスライダ９Ａと、該上ケース１２Ａの後部に枢支ピン２０Ａを介して連接される磁性材５１付き蓋体５Ａとが備えられる。
前記スライダ９Ａは、二股状の金属製の刃先プレート３がくさび状先端２１Ａに固設された支持部（図１の状態図を参照）２Ａ上に、板状押えバネ５０を介して配置されており、しかも上ケース１２Ａの前部内面に備えた空隙６１に装備されて、該上ケース１２Ａとスライダ９Ａの後部とを結合している戻しスプリング１５Ａにより、常に、リムーバ本体１の前方・上部に位置される。
また、前記磁性材５１を保持した付き蓋体５Ａは、上ケース１２Ａの後部内面に形成した空隙６１に嵌挿された枢支ピン２０Ａによって該上ケース１２Ａに連結されており、該蓋体５Ａの頭部５２に備えた係止孔５３が除去ステープル収容用ケ−ス１９Ａを構成する上部板２３Ａの後端に備えた係止突出片２４Ａに挿入・係止されて、後部開口１３Ａを閉鎖している。
さらに、前記板状押えバネ５０は、上ケース１２Ａの下面に固定され、ステープルの冠部全体を刃先プレート３に押圧するとともに、スライダ９Ａの歯をステープルの冠部に掛止して該ステープルを移動する機能がある。
【００１２】
図４は、図３に示したリムーバにおける先端部に位置する各部材の組立状態を表す斜視図であって、屈曲した先端部３１を有する刃先プレート３は、舌状片３３が打ち抜かれて形成された二股形状であり、また、板状押えバネ５０は、先端が屈曲５０Ｂされ、２本の長孔５０Ａ、５０Ａが施されており、さらに、スライダ９Ａは、屈曲した先端下面に掛止用歯９１、９１を備えるとともに、かつ上面に指宛て部９３が突設されている。
これらの部材が組み立てられると、刃先プレート３に当接して取り付けられた板状押えバネ５０には、２本の長孔５０Ａ、５０Ａに掛止用歯９１、９１が嵌入して刃先プレート３に当接する。
前記の図３と図４に示した構造からなるリムーバの使用に際しては、手に馴染むように屈曲状に形成されたリムーバ本体を把持するとともに、スライダ９Ａの指宛て部９３に指を当接し、打込まれたステープルの冠部と紙表面間にステープル除去用刃先プレート３の屈曲状先端部３１を差し込みながら進行させて、ステープルの除去を行うもので、ここで採用された板状押えバネ５０は扁平なため、ステープルの冠部全体を押さえることができ、ステープルの冠部の下面は刃先プレート３の上面により支持されるため、ステープル除去時においてステープルの冠部はガタつくことがないことから、ステープルの両脚を同時に引き抜くのに有効となる。このステープルは、リムーバが進行するに連れて、ステープルの冠部がスライダ９Ａの掛止用歯９１、９１の下面を通過して留まり、該ステープルの冠部に前記掛止用歯９１、９１が係止可能となるため、スライダ９Ａを戻しスプリング１５Ａに抗して摺動すると、除去ステープル収容用空間部１８Ａに引き込まれて除去される。前記の除去されたステープルは、リムーバの取り扱い中に、除去ステープル収容用ケ−ス１９Ａの空洞部１４Ａに移動され、隔壁で隔てられた部位に位置する磁性材５１に吸引されて収集される。この後、スライダ９Ａは戻しスプリング１５Ａにより元位置に復帰される。
前記収集され除去ステープルは、一旦蓋体５Ａを後方に引いて、蓋体５Ａの頭部５２に備えた係止孔５３と除去ステープル収容用ケ−ス１９Ａの上部板２３Ａの後端に備えた係止突出片２４Ａとの係止を解除（蓋体５Ａおよび枢支ピン２０Ａの点線部を参照）した後、上方に回動して後方開口１３Ａを開放すれば、磁性材５１に付着することもなく、一括廃棄がなされる。
【００１３】
【発明の効果】
以上の説明から理解できるように、本発明の請求項１に記載したリムーバは、二股状に形成した刃先プレートが傾斜支持部に装着されており、使用時に、大きな押圧力が加えられても、刃先プレートにおける二股状の一片が、常時、書類等の綴じ込み対象表面に摺接して、傾斜支持部の先端が綴じ込み対象表面に摺接することを防止するものであり、綴じ込み対象は損傷することがなく、何人にでも気軽に使用することができ、ステープル除去作業の効率化が達成されるものである。更に、ステープル冠部が綴用紙に沈み込んだ状態において、たとえ刃先プレートがステープル冠部と綴用紙の間に挿入されずにステープル冠部上面を辷ってしまうことがあっても、刃先プレートの舌状片がリムーバの支持部のくさび状先端を保護しているため、従来のようにくさび状先端をステープルとの衝突により破損してしまうことがない。また、本発明の請求項２に記載したリムーバは、請求項１に記載したリムーバの本体に、その全長に渡って除去済のステープルを収容する空洞部が備えられ、かつその後部側の空洞部内には、展開可能に枢支された蓋体の磁性部材を収納する隔壁空間部が形成されてあり、ステープルを廃棄する頻度を低減するとともに、廃棄時に生ずる磁性部材へのステープルの付着を無くして、一括廃棄処理が容易に達成された。さらに、本発明の請求項３に記載したリムーバは、請求項１または２に記載したリムーバの関して、スライダを付設して取り外したステープルを収集部に積極的に送り込んで、ステープル詰まりをなくし、常時、リムーバを使用可能な態勢に準備しておけるものであり、迅速な作業が達成でき、かつ、空洞部を上・下空洞部に二分し、下側空洞部全域を除去済ステープルの取集に使用できるようにするとともに、上側空洞部をスライダの戻しスプリングと蓋体の枢支部の内装に使用するもので、装置全体がコンパクト化されて取り扱いが至便となり、しかも、外力から保護されてリムーバの破損や故障がなくなり、長期間の使用が図られるものであって、ステープルの抜き取り時にステープル冠部が板状押えバネと刃先プレート間に挾持されるため、ステープルの両脚が常に均等に抜け出るので、両脚のいずれかが綴用紙に残るといった抜き取り不良を防止できる。、
【図面の簡単な説明】
【図１】本発明のリムーバの一実施例に係る側面図である。
【図２】本発明のリムーバの他の実施例に係る側面図である。
【図３】本発明のリムーバの更なる他の実施例に係る縦断面図である。
【図４】図３に示したリムーバにおける先端部に位置する各部材の組立状態を表す斜視図である。
【図５】従来のリムーバの一実施例に係る側面図である。
【図６】従来のリムーバの一実施例に係る側面図である。
【図７】従来のリムーバの一実施例に係る縦断面図である。
【符号の説明】
１  リムーバ本体
１４Ａ  空洞部
１９Ａ  除去ステープル収容用ケ−ス
３  刃先プレート
５Ａ  蓋体
５１  磁性材
１５Ａ  戻しスプシング
９Ａ  スライダ
【図１】
0004389077.tif 000002
【図２】
0004389077.tif 000003
【図３】
0004389077.tif 000004
【図４】
0004389077.tif 000005
【図５】
0004389077.tif 000006
【図６】
0004389077.tif 000007
【図７】
0004389077.tif 000008